(57)【要約】【課題】製作コストの低減を図りながら、ボタン装着枠と中間部材とを適正通り製作することができるガスコンロを提供する。【解決手段】コンロ横幅方向に並ぶ複数の点消火ボタン８が、ガスコンロ本体の前面部に設けたボタン装着枠Ｂに対して、後端側上部をコンロ横幅方向に沿う軸心Ｑ回りで回動自在に枢支させた状態で、且つ、ガスコンロ本体の前面部に設けたボタン挿通用開口を通して、前端側部分８Ｆをコンロ前方側に突出させた状態で設けられ、コンロ横幅方向に隣接して並ぶ点消火ボタン８の間に、コンロ横幅方向視において点消火ボタン８の前端側部分８Ｆと同形状で、且つ、後端が開放しかつ前方側に膨出する袋状の中間部材２２が配設されたガスコンロであって、中間部材２２が、ボタン装着枠Ｂとは別体に形成されて、ボタン装着枠Ｂに装着されている。【選択図】図６
2014044030.tif 000002
【特許請求の範囲】
【請求項１】
コンロ横幅方向に並ぶ複数の点消火ボタンが、ガスコンロ本体の前面部に設けたボタン装着枠に対して、後端側上部を前記コンロ横幅方向に沿う軸心回りで回動自在に枢支させた状態で、且つ、前記ガスコンロ本体の前記前面部に設けたボタン挿通用開口を通して、前端側部分をコンロ前方側に突出させた状態で設けられ、
前記コンロ横幅方向に隣接して並ぶ前記点消火ボタンの間に、前記コンロ横幅方向視において前記点消火ボタンの前記前端側部分と同形状で、且つ、後端が開放しかつ前方側に膨出する袋状の中間部材が配設されたガスコンロであって、
前記中間部材が、前記ボタン装着枠とは別体に形成されて、前記ボタン装着枠に装着されているガスコンロ。
【請求項２】
前記中間部材に、上下両端側に位置される状態で一対の被接続部が設けられ、
前記ボタン装着枠に、一対の前記被接続部のコンロ後方側への移動を規制するように受け止める前向受面が設けられ、
前記中間部材が、一対の前記被接続部を前記前向受面に当て付けた状態で、前記ボタン装着枠に装着されている請求項１記載のガスコンロ。
【請求項３】
前記ボタン装着枠に、一対の前記被接続部のうちの下方側の被接続部の下方側への移動を規制するように受け止める上向受面が設けられている請求項２記載のガスコンロ。
【請求項４】
前記前向受面、前記上向受面、及び、下方側の前記被接続部の前方側への移動を規制する後向受面を備える接続用凹部が、前記ボタン装着枠に形成され、
前記中間部材が、一対の前記被接続部のうちの下方側の被接続部を前記接続用凹部に挿入し、かつ、一対の前記被接続部のうちの上方側の被接続部を前記前向受面に当て付けた状態で、且つ、上方側の前記接続部を前記ボタン装着枠に対してボルト固定する状態で、前記ボタン装着枠に装着されている請求項３記載のガスコンロ。
【請求項５】
前記ボタン装着枠の前面側に、前記中間部材の一対の前記被接続部を覆う状態でカバー体が装備され、
前記カバー体に、前記ボタン挿通用開口が、隣接する前記点消火ボタン及び前記中間部材を挿通させる形態で形成されている請求項２〜４のいずれか１項記載のガスコンロ。
【請求項６】
前記点消火ボタンが、消火位置から後方側に揺動した点火位置に揺動操作され、かつ、前記点火位置において後方側に揺動操作されることにより前記消火位置側に復帰移動するように構成され、
前記中間部材の後端側部分に、前記中間部材の存在側に突出させる状態で前記点消火ボタンに設けた被接当部を、前記点消火ボタンが前記消火位置に位置するときに受止める接当部が設けられている請求項１〜５のいずれか１項記載のガスコンロ。
【発明の詳細な説明】
【技術分野】
【０００１】
本発明は、コンロ横幅方向に並ぶ複数の点消火ボタンが、ガスコンロ本体の前面部に設けたボタン装着枠に対して、後端側上部を前記コンロ横幅方向に沿う軸心回りで回動自在に枢支させた状態で、且つ、前記ガスコンロ本体の前記前面部に設けたボタン挿通用開口を通して、前端側部分をコンロ前方側に突出させた状態で設けられ、
前記コンロ横幅方向に隣接して並ぶ前記点消火ボタンの間に、前記コンロ横幅方向視において前記点消火ボタンの前記前端側部分と同形状で、且つ、後端が開放しかつ前方側に膨出する袋状の中間部材が配設されたガスコンロに関する。
【背景技術】
【０００２】
従来のガスコンロとして、ガスコンロ本体の前面部に設けるボタン装着枠として、前面パネルが設けられ、この前面パネルにコンロ横幅方向に並ぶ複数の点消火ボタンが設けられたものがある（例えば、特許文献１参照）。
【０００３】
上記特許文献１には、詳細な説明はないが、コンロ横幅方向に並ぶ点消火ボタンの間に、コンロ横幅方向視において点消火ボタンの前端側部分と同形状の中間部材が配設されている。
このように、コンロ横幅方向視において点消火ボタンの前端側部分と同形状の中間部材が、コンロ横幅方向に並ぶ一対の点消火ボタンの間に配設されているから、一対の点消火ボタンの一方側を操作する際に、誤って、手指が他方側の点消火ボタンの存在側部分を操作するようなことがあっても、中間部材が手指にて押し操作されることになって、他方側の点消火ボタンが押し操作されることを回避できるため、一対の点消火ボタンの一方側を操作する際に、他方側の点消火ボタンをも誤って操作する誤操作状態が発生する不都合を回避できるものとなる。
【０００４】
上記特許文献１には、中間部材の構成についての詳細な説明はないが、中間部材は、後端側が開放しかつ前方側に膨出する袋状に構成されるものであり、そして、従来では、中間部材は、ボタン装着枠と一体に成型されるようになっていた。
つまり、ボタン装着枠や中間部材は、合成樹脂材料にて成型されるものであり、従来では、ボタン装着枠と中間部材とを、合成樹脂材料にて、一体的に成型するように構成されていた。
【先行技術文献】
【特許文献】
【０００５】
【特許文献１】特開２０１１−２３１９３８号公報
【発明の概要】
【発明が解決しようとする課題】
【０００６】
従来のガスコンロにおいては、ボタン装着枠と中間部材とを一体的に成型するものであるため、成型用の金型の形状が複雑となって、製作コストが高くなる不都合があるばかりでなく、ボタン装着枠と中間部材とを適正通り製作し難い不都合があり、改善が望まれるものであった。
【０００７】
すなわち、中間部材は、点消火ボタンの前端側部分がコンロ前方側に突出することに合わせて、ボタン装着枠からコンロ前方側に向けて大きく突出する形態で、後端側が開放しかつ前方側に膨出する袋状に成型することになるが、このようにボタン装着枠からコンロ前方側に大きく突出する中間部材と、ボタン装着枠とを、一体的に成型しようとすると、成型用の金型が複雑となり、製作コストが高くなるものであった。
【０００８】
また、ボタン装着枠は、点消火ボタンを支持するものであるため、各部の肉厚を十分に厚くして、十分な強度を備えさせるものであるのに対して、中間部材は、上述の誤操作状態の発生を回避するものであり、大きな強度を必要としないものであるため、中間部材の肉厚は、ボタン装着枠の各部の肉厚よりも十分に薄くすることになる等に起因して、ボタン装着枠の適正な成型条件と中間部材の適正な成型条件とは異なるものである。
【０００９】
このように、ボタン装着枠の適正な成型条件と中間部材の適正な成型条件とは、肉厚が異なる等に起因して異なるものであるにも拘わらず、ボタン装着枠と、ボタン装着枠からコンロ前方側に大きく突出する中間部材とを一体的に成型しようとすると、ボタン装着枠と中間部材とを適正通り成型する成型条件を定めることが難しいものとなり、その結果、成型後において、例えば、中間部材が変形する等、ボタン装着枠と中間部材とを適正通り製作し難いものであった。
【００１０】
本発明は、かかる点に鑑みてなされたものであって、その目的は、製作コストの低減を図りながら、ボタン装着枠と中間部材とを適正通り製作することができるガスコンロを提供する点にある。
【課題を解決するための手段】
【００１１】
上記目的を達成するための本発明に係るガスコンロは、
コンロ横幅方向に並ぶ複数の点消火ボタンが、ガスコンロ本体の前面部に設けたボタン装着枠に対して、後端側上部を前記コンロ横幅方向に沿う軸心回りで回動自在に枢支させた状態で、且つ、前記ガスコンロ本体の前記前面部に設けたボタン挿通用開口を通して、前端側部分をコンロ前方側に突出させた状態で設けられ、
前記コンロ横幅方向に隣接して並ぶ前記点消火ボタンの間に、前記コンロ横幅方向視において前記点消火ボタンの前記前端側部分と同形状で、且つ、後端が開放しかつ前方側に膨出する袋状の中間部材が配設されたガスコンロであって、その第１特徴構成は、
前記中間部材が、前記ボタン装着枠とは別体に形成されて、前記ボタン装着枠に装着されている点にある。
【００１２】
上記第１特徴構成によれば、中間部材が、ボタン装着枠とは別体に形成されて、ボタン装着枠に装着されるものであるから、ボタン装着枠と中間部材とを、合成樹脂材料にて各別に成型することができるものとなる。
つまり、ボタン装着枠を成型するためのボタン装着枠用の金型と、中間部材を成型するための中間部材用の金型とを各別に用意して、ボタン装着枠と中間部材とを各別に成型することができるものとなる。
【００１３】
そして、ボタン装着枠用の金型は、ボタン装着枠を成型するための専用の金型であり、中間部材用の金型は、中間部材を成型するための専用の金型であるから、中間部材用の金型やボタン装着枠用の金型の形状を簡素化することができるため、ボタン装着枠と中間部材とを成型するために、ボタン装着枠用の金型と中間部材用の金型とを用意することになるものの、ボタン装着枠と中間部材とを成型するために必要とする金型の製作コストを低減することができる。
【００１４】
しかも、ボタン装着枠と中間部材とを、それらを成型するための専用の金型を用いて各別に成型するものであるから、ボタン装着枠を成型する際には、ボタン装着枠を成型する上での適正な成型条件を定めることができ、また、中間部材を成型する際には、中間部材を成型する上での適正な成型条件を定めることができるから、ボタン装着枠と中間部材とを適正通り製作できるものとなる。
【００１５】
要するに、第１特徴構成によれば、製作コストの低減を図りながら、ボタン装着枠と中間部材とを適正通り製作することができるガスコンロを提供できる。
【００１６】
本発明のガスコンロの第２特徴構成は、上記第１特徴構成に加えて、
前記中間部材に、上下両端側に位置される状態で一対の被接続部が設けられ、
前記ボタン装着枠に、一対の前記被接続部のコンロ後方側への移動を規制するように受け止める前向受面が設けられ、
前記中間部材が、一対の前記被接続部を前記前向受面に当て付けた状態で、前記ボタン装着枠に装着されている点にある。
【００１７】
上記第２特徴構成によれば、中間部材の上下両端側に位置する一対の被接続部が、ボタン装着枠の前向受面にて、コンロ後方側への移動を規制するように受け止められた状態で、中間部材がボタン装着枠に装着されるものであるから、中間部材が、点消火ボタンを操作する手指によって、コンロ後方側に押されることがあっても、一対の被接続部がボタン装着枠の前向受面にて受け止められことによって、ボタン装着枠に対する中間部材の装着状態を適正状態に的確に維持できることになる。
【００１８】
すなわち、中間部材は、点消火ボタンを操作する手指によって、コンロ後方側に押されることがあるが、そのようにコンロ後方側に押されることがあっても、ボタン装着枠に対する中間部材の装着状態を適正状態に的確に維持できるのである。
【００１９】
要するに、第２特徴構成によれば、中間部材がコンロ後方側に押されることがあっても、ボタン装着枠に対する中間部材の装着状態を適正状態に的確に維持できるガスコンロを提供できる。
【００２０】
本発明のガスコンロの第３特徴構成は、上記第２特徴構成に加えて、
前記ボタン装着枠に、一対の前記被接続部のうちの下方側の被接続部の下方側への移動を規制するように受け止める上向受面が設けられている点にある。
【００２１】
上記第３特徴構成によれば、下方側の被接続部の下方側への移動を規制するように受け止める上向受面が設けられているので、例えば、中間部材の両側に位置する点消火ボタンが操作される際に、誤って中間部材が下方側に押し操作されても、上向受面によって中間部材の下方側への移動が規制され、ボタン装着枠に対する中間部材の適正装着状態を維持することができる。
【００２２】
要するに、第３特徴構成によれば、中間部材が下方側に押されることがあっても、ボタン装着枠に対する中間部材の装着状態を適正状態に的確に維持できるガスコンロを提供できる。
【００２３】
本発明のガスコンロの第４特徴構成は、上記第３特徴構成に加えて、
前記前向受面、前記上向受面、及び、下方側の前記被接続部の前方側への移動を規制する後向受面を備える接続用凹部が、前記ボタン装着枠に形成され、
前記中間部材が、一対の前記被接続部のうちの下方側の被接続部を前記接続用凹部に挿入し、かつ、一対の前記被接続部のうちの上方側の被接続部を前記前向受面に当て付けた状態で、且つ、上方側の前記接続部を前記ボタン装着枠に対してボルト固定する状態で、前記ボタン装着枠に装着されている点にある。
【００２４】
上記第４特徴構成によれば、中間部材の下方側の被接続部をボタン装着枠の接続用凹部に挿入した状態で、中間部材の上方側の被接続部をボタン装着枠に対してボルト固定することで、中間部材をボタン装着枠に装着することができる。
つまり、上方側の被接続部をボルト固定するだけで、中間部材をボタン装着枠に装着することができるので、固定に必要なボルトの数を減少させて、中間部材の装着作業を容易に行うことができる。
【００２５】
要するに、第４特徴構成によれば、中間部材の装着作業の容易化を図ることができるガスコンロを提供できる。
【００２６】
本発明のガスコンロの第５特徴構成は、上記第２〜第４特徴構成のいずれかに加えて、
前記ボタン装着枠の前面側に、前記中間部材の一対の前記被接続部を覆う状態でカバー体が装備され、
前記カバー体に、前記ボタン挿通用開口が、隣接する前記点消火ボタン及び前記中間部材を挿通させる形態で形成されている点にある。
【００２７】
上記第５特徴構成によれば、ボタン装着枠の前面側に装備されるカバー体にて、中間部材の一対の被接続部を覆うようにし、そして、カバー体に形成したボタン挿通用開口を通して、隣接する点消火ボタン及び中間部材をコンロ前方側に挿通させるものであるから、点消火ボタンを適正に通り操作することができるようにしながらも、ボタン装着枠の前面側をカバー体にて覆うことにより、ガスコンロ本体の前面部を美麗にすることができる。
【００２８】
要するに、第５特徴構成によれば、点消火ボタンを適正通り操作することができるようにしながらも、ガスコンロ本体の前面部を美麗にすることができるガスコンロを提供できる。
【００２９】
本発明のガスコンロの第６特徴構成は、上記第１〜第５特徴構成のいずれかに加えて、
前記点消火ボタンが、消火位置から後方側に揺動した点火位置に揺動操作され、かつ、前記点火位置において後方側に揺動操作されることにより前記消火位置側に復帰移動するように構成され、
前記中間部材の後端側部分に、前記中間部材の存在側に突出させる状態で前記点消火ボタンに設けた被接当部を、前記点消火ボタンが前記消火位置に位置するときに受止める接当部が設けられている点にある。
【００３０】
上記第６特徴構成によれば、点火位置にて後方側に揺動操作されることによって消火位置側に復帰移動する点消火ボタンが、点火位置から消火位置に復帰移動する際に、点消火ボタンの被接当部を中間部材の接当部にて受止めることによって、点消火ボタンを消火位置に位置させることができる。
【００３１】
このように、点消火ボタンの被接当部を中間部材の接当部にて受止めることによって、点消火ボタンを消火位置に位置させるものであるから、例えば、接当部をボタン装着枠に設けるようにするに較べて、消火位置の点消火ボタンと中間部材との相対位置関係を適正関係に的確に位置決めし易いものとなるため、コンロ横幅方向視にて、消火位置の点消火ボタンの前端側分と中間部材とを重なる状態にする等、点消火ボタンが消火位置に位置する状態において、点消火ボタンの前端側部分と中間部材とを美麗な状態に並べることができるものとなる。
【００３２】
要するに、第６特徴構成によれば、点消火ボタンが消火位置に位置する状態において、点消火ボタンの前端側部分と中間部材とを美麗な状態に並べることができるガスコンロを提供できる。
【図面の簡単な説明】
【００３３】
【図１】ガスコンロの斜視図
【図２】同ガスコンロの斜視図
【図３】運転操作部の斜視図
【図４】上下の操作部カバーを外した状態の運転操作部の斜視図
【図５】同状態の正面図
【図６】運転操作部の分解斜視図
【図７】運転操作部の分解斜視図
【図８】点消火ボタンの装着部を示す切欠側面図
【図９】点消火ボタンの装着部を示す切欠側面図
【図１０】ボタン装着枠に設けられた中間部材の縦断側面図
【図１１】ボタン装着枠に設けられた中間部材の縦断斜視図
【発明を実施するための形態】
【００３４】
〔実施形態〕
本発明の実施形態を図面に基づいて説明する。
（ガスコンロの全体構成）
図１及び図２に示すように、加熱調理器としてのガスコンロＧＣが、ガスコンロ本体Ｈの上面部に、コンロバーナ１として、標準火力バーナ１Ａ、小火力バーナ１Ｂ及び大火力バーナ１Ｃを備え、且つ、ガスコンロ本体Ｈの横幅方向中央部にグリル部Ｇを備える形態に構成されている。
【００３５】
ガスコンロ本体Ｈは、上部が開口された箱状の金属製のケーシング２を主要部として構成されるものであって、ケーシング２の内部には、図示は省略するが、グリル部Ｇを構成するグリル庫、コンロバーナ１の混合管、グリル部Ｇに装備したグリルバーナの混合管等、種々の機器類が装備されている。
ちなみに、ケーシング２の内部における前面側の左右両側部には、後述する運転操作部Ｍを構成するために、合成樹脂製のボタン装着枠Ｂ（図３〜図１０参照）が組付けられることになる。
【００３６】
ガスコンロ本体Ｈの上部には、ガラス製の天板３が配置され、ガスコンロ本体Ｈの上面部の後部側には、グリル部Ｇの燃焼排ガスを排気するためのグリル排気口４が形成されている。
また、天板３の上部には、コンロバーナ１にて加熱される鍋等の調理容器を載置するための五徳５が、３つのコンロバーナ１の夫々に対応して設けられている。
【００３７】
このガスコンロＧＣは、図示は省略するが、キッチンキャビネットの上方開口部から下方に挿入されてキッチンキャビネットに組み付けられる、いわゆるビルトインタイプとして構成されるものであり、キッチンキャビネットに組み付けられた状態においては、ガスコンロ本体Ｈの前面部が、キッチンキャビネットの前面開口に臨ませた状態となる。
尚、ガスコンロ本体Ｈの横側壁における前方側箇所には、ガスコンロ本体Ｈの横端部と前面開口との間の隙間を塞ぐ左右一対の隙間挿入部材Ｐが装着されている。
【００３８】
図１及び図２に示すように、ガスコンロ本体Ｈにおける前面部の左方側の横端部部分及び右方側の横端部部分には、運転操作部Ｍが設けられ、左右の運転操作部Ｍの夫々には、上方側運転操作部ＭＵと下方側運転操作部ＭＳとが並設されている。
そして、左右両側の下方側運転操作部ＭＳが、ガスコンロ本体Ｈの内方に引退させた引退位置（図１参照）とガスコンロ本体Ｈの前方に突出させた突出位置（図２参照）とに出退自在に構成されている。
つまり、左右両側の下方側運転操作部ＭＳが、運転操作指令部Ｎを上面部に備える出退式操作部に構成されている。
【００３９】
また、左右両側の上方側運転操作部ＭＵには、前面を覆うカバー体６が装備され、左右両側の下方側運転操作部ＭＳには、前面を覆う下側操作部カバー７が装備されている。
そして、左右のカバー体６及び左右の下側操作部カバー７が、ガスコンロ本体Ｈの横端部とキッチンキャビネットの前面開口との間を覆うべくガスコンロ本体Ｈの横外方に張り出す状態で設けられている。
【００４０】
つまり、左右のカバー体６には、ガスコンロ本体Ｈの横外方に張り出す上側張出部分６Ａが設けられ、左右の下側操作部カバー７には、ガスコンロ本体Ｈの横外方に張り出す下側張出部分７Ａが設けられている（図３参照）。
そして、上側張出部分６Ａ及び下側張出部分７Ａが、上述した隙間挿入部材Ｐの前部相当箇所を覆う状態で、ガスコンロ本体Ｈの横端部とキッチンキャビネットの前面開口との間を覆うように構成されている。
【００４１】
左右の上方側運転操作部ＭＵの夫々には、押し操作式の点消火ボタン８、及び、コンロ横幅方向に沿ってスライド操作されるスライド操作式の火力調節具９が配設されている。
すなわち、左方の上方側運転操作部ＭＵには、押し操作式の点消火ボタン８として、標準火力バーナ１Ａに対する点火及び消火を指令する標準火力用点消火ボタン８Ａ、及び、小火力バーナ１Ｂに対する点火及び消火を指令する小火力用点消火ボタン８Ｂが、コンロ横幅方向に沿って並ぶ状態で装備されている。
【００４２】
加えて、左方の上方側運転操作部ＭＵには、スライド操作式の火力調節具９として、標準火力バーナ１Ａの火力を調節する標準火力用火力調節具９Ａ、及び、小火力バーナ１Ｂの火力を調節する小火力用火力調節具９Ｂが、コンロ横幅方向に沿って並ぶ状態で装備されている。
【００４３】
また、右方の上方側運転操作部ＭＵには、押し操作式の点消火ボタン８として、大火力バーナ１Ｃに対する点火及び消火を指令する大火力用点消火ボタン８Ｃ、及び、グリルバーナに対する点火及び消火を指令するグリル用点消火ボタン８Ｄが、コンロ横幅方向に沿って並ぶ状態で装備されている。
加えて、右方の上方側運転操作部ＭＵには、スライド操作式の火力調節具９として、大火力バーナ１Ｃの火力を調節する大火力用火力調節具９Ｃが装備されている。
ちなみに、グリルバーナの火力は、右方の上方側運転操作部ＭＵに設けた火力切替スイッチＳＷにて変更調節されることになる。
【００４４】
図８及び図９に示すように、コンロ横幅方向に並ぶ複数の点消火ボタン８が、ガスコンロ本体の前面部に設けたボタン装着枠Ｂに対して、後端側上部をコンロ横幅方向に沿う軸心Ｑ回りで回動自在に枢支させた状態で設けられている。点消火ボタン８は、後端側上部の軸心Ｑを中心にコンロ後方側に押し込み操作されて、コンロ前方側に復帰付勢された器具栓スライダ１０を押し移動させるように構成されている。
すなわち、図示は省略するが、標準火力バーナ１Ａ、小火力バーナ１Ｂ、大火力バーナ１Ｃ、及び、グリルバーナの夫々に対応させて、ガス燃料の供給を断続しかつガス燃料の供給量を調節する器具栓が設けられており、各器具栓に装備した器具栓スライダ１０が、標準火力用点消火ボタン８Ａ、小火力用点消火ボタン８Ｂ、大火力用点消火ボタン８Ｃ、及び、グリル用点消火ボタン８Ｄにて押し移動させるように構成されている。
【００４５】
器具栓スライダ１０は、コンロ前後幅方向の前方側位置に位置する状態（図８参照）から、点消火ボタン８にて後方側位置に押し移動されると（図９参照）、その後方側位置に保持され、後方側位置から後方側に向けて点消火ボタン８にて少しだけ押し移動されると、保持が解除されて、点消火ボタン８を押し移動させながら前方側位置に復帰移動するように構成されるものであり、そして、器具栓は、器具栓スライダ１０が前方側位置に位置するとガス燃料の供給を停止する状態となり、器具栓スライダ１０が後方側位置に位置するとガス燃料を供給する状態となるように構成されるものであるが、器具栓スライダ１０の具体構成や器具栓の具体構成は周知であるので、本実施形態においては詳細な説明を省略する。
【００４６】
すなわち、点消火ボタン８は、自重にて後方側に揺動する状態に付勢されおり、器具栓スライダ１０が前方側位置に位置すると消火位置となり、器具栓スライダ１０が後方側位置に位置すると点火位置となるように構成されている。
つまり、点消火ボタン８が、消火位置から後方側に揺動した点火位置に揺動操作され、かつ、点火位置において後方側に揺動操作されることにより消火位置側に復帰移動するように構成されている。
【００４７】
ちなみに、標準火力用火力調節具９Ａ、小火力用火力調節具９Ｂ、及び、大火力用火力調節具９Ｃは、標準火力バーナ１Ａ、小火力バーナ１Ｂ、及び、大火力バーナ１Ｃに対応する器具栓に、コンロ横幅方向に揺動自在に枢支されて、その揺動により、ガス燃料の供給量を調節するように構成されている。
尚、図示は省略するが、グリルバーナに対応する器具栓には、火力調節用の電磁弁が装備されて、この電磁弁の作動を制御する制御手段（図示せず）が、火力切替スイッチＳＷの指令に基づいて、火力調節用の電磁弁を作動されることになる。
【００４８】
図１及び図２に示した左方の下方側運転操作部ＭＳの運転操作指令部Ｎは、標準火力バーナ１Ａ及び小火力バーナ１Ｂに対する運転情報を指令するものであって、具体的には、燃焼している標準火力バーナ１Ａ及び小火力バーナ１Ｂを設定時間が経過すると自動的に消火するタイマ運転や、やかん等の被加熱容器に収納した湯水が沸騰すると、燃焼している標準火力バーナ１Ａ及び小火力バーナ１Ｂを自動的に消火する湯沸し運転等、各種の運転を実行するための運転情報を指令することになる。
【００４９】
一方、右方の下方側運転操作部ＭＳの運転操作指令部Ｎは、大火力バーナ１Ｃ及びグリルバーナに対する運転情報を指令するものであって、具体的には、大火力バーナ１Ｃについては、標準火力バーナ１Ａ及び小火力バーナ１Ｂと同様に、タイマ運転や湯沸し運転等の各種の運転を実行するための運転情報を指令することになる。
また、グリルバーナについては、燃焼しているグリルバーナを設定時間が経過すると自動的に消火するタイマ運転や、燃焼排気温度に基づいて被調理物が焼き上がりであることを推定すると、燃焼しているグリルバーナを自動的に消火する自動運転等、各種の運転を実行するための運転情報を指令することになる。
【００５０】
（運転操作部の構成）
次に、左右の運転操作部Ｍの夫々に設けた上方側運転操作部ＭＵ及び下方側運転操作部ＭＳについて詳述するが、左右の上方側運転操作部ＭＵは同様に構成され、左右の下方側運転操作部ＭＳは同様に構成されるものであるため、以下、右方側の運転操作部Ｍに設けた右方の上方側運転操作部ＭＵ及び右方の下方側運転操作部ＭＳを代表として説明する。
【００５１】
図３〜図１０に示すように、ケーシング２の前面側の右側部には、前述した合成樹脂製のボタン装着枠Ｂが装備されている。
ボタン装着枠Ｂは、コンロ前後幅方向に向かう角筒状に構成された下方側部分ＢＳと、平面視形状がコの字状に構成された上方側部分ＢＵとを備える形態に構成されている。
そして、ボタン装着枠Ｂの上方側部分ＢＵに、点消火ボタン８等が組み付けられて、上方側運転操作部ＭＵが構成され、ボタン装着枠Ｂの下方側部分ＢＳに、下方側運転操作部ＭＳが組み付けられている。
【００５２】
ボタン装着枠Ｂにおける下方側部分ＢＳの左右の側壁部分１２の間に、枢支軸１１が横倒れ姿勢で架設されている。
そして、下方側運転操作部ＭＳが、図３に示すように、コンロ前後幅方向視にて逆Ｕ字状に構成され、その左右の壁部分１３の下端部が、枢支軸１１に前後揺動自在に枢支されている。
つまり、下方側運転操作部ＭＳが、枢支軸１１を中心とした前後揺動により引退位置と突出位置とに切換え自在に構成されている。
【００５３】
また、下方側運転操作部ＭＳには、前面部を開閉する内蓋１４が設けられている。
この内蓋１４は、枢支軸１１に下端部が支持されて、枢支軸１１を中心とした前後揺動により開き状態と閉じ状態に切換え自在に構成されている。
尚、ボタン装着枠Ｂの下方側部分ＢＳには、電池収納ボックス１５がコンロ前後幅方向に沿って出退操作自在に設けられており、内蓋１４には、電池収納ボックス１５を挿脱する挿脱用開口１４Ａが形成されている。
【００５４】
下側操作部カバー７が、枢支軸１１にて下端部が支持されて、枢支軸１１を中心とした前後揺動により下方側運転操作部ＭＳに対して開閉されるように構成されている。
すなわち、下側操作部カバー７の下端縁部の左右両側に、枢支軸１１に外嵌する係合部７ａが設けられており、これらの係合部７ａが枢支軸１１に外嵌することにより、下側操作部カバー７が、枢支軸１１を中心に前後揺動することにより、開き状態と閉じ状態とに切換えられるように構成されている。
【００５５】
下側操作部カバー７の下端縁部の係合部７ａが、一部を開口させたＵ字状に形成されており、下側操作部カバー７をコンロ前後方向に移動させながら、係合部７ａを枢支軸１１に対して係脱できるように構成されている。
したがって、下側操作部カバー７が、開き状態において、係合部７ａを枢支軸１１に対して係脱することにより、下方側運転操作部ＭＳに対して着脱できるように構成されている。
【００５６】
下側操作部カバー７の上方側には、左右一対の弾性変形自在な舌片７ｂが、後方側に向けて突出する状態で設けられ、それらの舌片７ｂの先端部には、下方側運転操作部ＭＳの左右の壁部分１３に形成した係合孔１６に係合自在な係合突起１７が設けられている。
そして、開き状態の下側操作部カバー７（図３参照）を上方側に揺動させるに伴って、舌片７ｂが、下方側運転操作部ＭＳの左右の壁部分１３と内蓋１４の間の隙間を通して、下方側運転操作部ＭＳの内部に進入し、舌片７ｂの先端の係合突起１７が、下方側運転操作部ＭＳの左右の壁部分１３に形成した係合孔１６に係合することによって、下側操作部カバー７が、閉じ状態に保持されるように構成されている。
【００５７】
尚、閉じ状態の下側操作部カバー７を開き状態に切換え操作する際には、下側張出部分７Ａ等を把持して、下側操作部カバー７を下側に向けて開き操作することにより、舌片７ｂの先端の係合突起１７が、下方側運転操作部ＭＳの左右の壁部分１３に形成した係合孔１６から外れて、下側操作部カバー７を開き状態に切換えることができる。
【００５８】
このように、下側操作部カバー７を開閉できるものであるから、電池収納ボックス１５に収納した電池を交換する電池交換作業や、ボタン装着枠Ｂの下方側部分ＢＳの内方側箇所に装備した電子機器等の機器類の点検を行う機器点検作業を行う際等においては、下側操作部カバー７を開き状態にすることになる。
ちなみに、機器点検作業を行う際には、内蓋１４を開くことになる。
【００５９】
また、下側操作部カバー７の開き状態において、下側操作部カバー７の下端縁部の係合部７ａを枢支軸１１に対して係脱しながら、下側操作部カバー７を着脱できるものであるから、ガスコンロ本体Ｈをキッチンキャビネットに装着する際には、下側操作部カバー７を外しておき、ガスコンロ本体Ｈをキッチンキャビネットに装着した後において、下側操作部カバー７を、下方側運転操作部ＭＳを覆う状態に装着できる。
【００６０】
ちなみに、下方側運転操作部ＭＳは、突出位置に復帰付勢され、そして、引退位置側に向けて大きく押し移動されると、引退位置に自動的に保持され、かつ、引退位置から後方側に少し後方側に押し移動させることにより保持が解除されて、突出位置に復帰移動するように構成されることになるが、その構成は周知であるので、本実施形態においては説明を省略する。
【００６１】
図５及び図６に示すように、ボタン装着枠Ｂの上方側部分ＢＵの前面部を形成する上方側前壁部分１８には、上述の火力切替スイッチＳＷや、各種の表示ランプ類ＬＰが装備され、また、図６に示すように、点消火ボタン８としての、大火力用点消火ボタン８Ｃ及びグリル用点消火ボタン８Ｄを前方に突出させるためのボタン挿通口１９、及び、火力調節具９としの、大火力用火力調節具９Ｃを前方に突出させるための調節具挿通口２０が形成されている。
【００６２】
点消火ボタン８は、図８及び図９に示すように、ボタン装着枠Ｂの上方側部分ＢＵの上方側前壁部分１８の背部側箇所に、軸心Ｑを中心に揺動できるように支持されることになるが、その詳細は後述する。
そして、本実施形態の点消火ボタン８には、点消火ボタン８が後方側に押し移動されても後方側に移動しないように牽制するチャイルドロック用の牽制部材２１が、牽制作用位置と牽制解除位置とに切換え操作自在に装備されて、この牽制部材２１が、器具栓スライダ１０を押し作用するように構成されているが、本実施形態においては、牽制部材２１の構成や牽制部材２１を牽制作用状態と牽制解除状態に切換える構成についての説明は省略する。
【００６３】
点消火ボタン８としての、大火力用点消火ボタン８Ｃ及びグリル用点消火ボタン８Ｄの間には、コンロ横幅方向視において、点消火ボタン８の前端側部分８Ｆと同形状の中間部材２２が配設されている。この中間部材２２は、ボタン装着枠Ｂとは別体に成型されて、ボタン装着枠Ｂに組み付けられることになるが、その詳細は後述する。
【００６４】
カバー体６には、図３に示すように、ボタン装着枠Ｂの上方側前壁部分１８の構成に対応させて、点消火ボタン８としての、大火力用点消火ボタン８Ｃ及びグリル用点消火ボタン８Ｄと、中間部材２２とをコンロ前方に突出させるボタン挿通用開口２５、火力調節具９としての、大火力用火力調節具９Ｃをコンロ前方に突出させる調節具挿通用開口２６、火力切替スイッチＳＷを挿通させるスイッチ用開口２７、及び、複数の表示用開口２８等が形成されている。
【００６５】
カバー体６は、ボタン装着枠Ｂに取り付けられた中間部材２２の上下両端側に設けられた一対の被接続部２２ｓを覆う状態で、ボタン装着枠Ｂの上方側部分ＢＵの前面側に対して着脱自在に装備される。
また、このカバー体６は、ガスコンロ本体Ｈをキッチンキャビネットに装着する際には、外した状態とし（図４〜図６参照）、ガスコンロ本体Ｈをキッチンキャビネットに装着した後において、上方側運転操作部ＭＵを覆う状態に装着できるように構成されているが、本実施形態においては、カバー体６を着脱自在に装着する構成の詳細な説明は省略する。
【００６６】
ちなみに、カバー体６をボタン装着枠Ｂの上方側部分ＢＵに対して着脱できるものであるから、ボタン装着枠Ｂの上方側前壁部分１８に装着した火力切替スイッチＳＷや各種の表示ランプ類ＬＰ等の点検作業を行う際にも、カバー体６をボタン装着枠Ｂの上方側部分ＢＵに対して着脱できるようになっている。
【００６７】
（点消火ボタンの構成）
点消火ボタン８は、図６、図８及び図９に示すように、コンロ横幅方向視にて、点消火ボタン８の後端側部分８Ｒよりも上下幅が狭く形成された前端側部分８Ｆを、後端側部分８Ｒからコンロ前方側に突出させる形状に構成され、前端側部分８Ｆが、カバー体６のボタン挿通用開口２５を通して、コンロ前方側に突出するように構成されている。
【００６８】
点消火ボタン８は、図６及び図７に示すように、後方側が開口しかつ前方側に膨出する袋状で、且つ、後方側上部に、被枢支部としての一対の軸状部８Ｊを備える形状に、合成樹脂の成型によって形成されるものであり、かつ、外面が一色となるように形成されている。また、点消火ボタン８の一対の軸状部８Ｊは、一対の点消火ボタン８において、隣接する点消火ボタン８から離れる側に位置する離間側の軸状部８Ｊと、隣接する点消火ボタン８に近接する側に位置する近接側の軸状部８Ｊとで構成されている。
尚、点消火ボタン８の壁部には、牽制部材２１を装着するための開口部が形成されることになるが、この開口部も、成型の際に形成されることになる。
【００６９】
点消火ボタン８としての、大火力用点消火ボタン８Ｃ及びグリル用点消火ボタン８Ｄの夫々は、左右対称となるように構成されるものであって、具体的には、図６に示すように、大火力用点消火ボタン８Ｃ及びグリル用点消火ボタン８Ｄの夫々における前端側部分８Ｆの先端側部分Ｔが、平面視において、隣接する点消火ボタン８から離れる側の離間側端部分を、漸次コンロ後方側に後退する傾斜状にし、かつ、離間側端部分に連なる状態で、隣接する点消火ボタン８の存在側に位置する主体部分を、コンロ横幅方向に沿う直線状とする形状に構成されている。
【００７０】
点消火ボタン８としての、大火力用点消火ボタン８Ｃ及びグリル用点消火ボタン８Ｄの夫々は、外面の色を同じ色とする状態に構成され、そして、それらの点消火ボタン８とは異なる色に形成された操作状態認識用表示体３０が、前端側部分８Ｆの外面のうちの一部に露出する状態で点消火ボタン８に設けられている。
つまり、操作状態認識用表示体３０が、前端側部分８Ｆの先端側部分Ｔにおける主体部分及び離間側端部分に亘る状態で設けられている。
【００７１】
また、図７に示すように点消火ボタン８の後方側には、中間部材２２の存在側に突出させる状態で設けた被接当部８ａが設けられている。この被接当部８ａは、消火位置と点火位置との間で揺動操作される点消火ボタン８が消火位置に位置するときに、中間部材２２の接当部２２ａと当接するように設けられている。
【００７２】
（点消火ボタンの装着構成）
図７に示すように、ボタン装着枠Ｂの上方側部分ＢＵに、上方側前壁部分１８の左右両端側から後方に延びる側壁部１８Ａが設けられている。
そして、側壁部１８Ａに、点消火ボタン８の左右の軸状部８Ｊのうちの、隣接する点消火ボタン８から離れる側の軸状部８Ｊが嵌合する嵌合孔３２が形成されている。
【００７３】
また、上方側前壁部分１８の上方側のコンロ横幅方向の中央部背面に設けられた中央部背面凸部３３ｂには、コンロ後方側に開口する開口部３３ａを備えた凹部状の軸支部３３が設けられ、点消火ボタン８の左右の軸状部８Ｊのうちの、隣接する点消火ボタン８の存在側の軸状部８Ｊが、軸支部３３に挿入される。
そして、軸支部３３に挿入した軸状部８Ｊが、軸支部３３から離脱するのを阻止すべく受止める受止部材３４が、ボタン装着枠Ｂの上方側部分ＢＵにおける背面部にボルト固定されるように構成されている。
【００７４】
したがって、点消火ボタン８は、一対の軸状部８Ｊが嵌合孔３２と軸支部３３とによって枢支されて、上述の如く、軸心Ｑ回りで揺動するように構成されている。
【００７５】
（中間部材の構成）
図６及び図７に示すように、中間部材２２は、後方側が開口しかつ前方側に膨出する袋状で、且つ、後方側の上下両端部に、一対の被接続部２２ｓを備える形状に、合成樹脂の成型によって形成されるものであり、かつ、外面が一色となるように形成されている。ここで、一対の被接続部２２ｓは、中間部材２２の上方側に設けられた上方側被接続部２３と、中間部材２２の下方側に設けられた下方側被接続部２４とで構成されている。
【００７６】
また、中間部材２２は、コンロ横幅方向視にて点消火ボタン８の前端側部分Ｆと同形状でかつ揺動操作される点消火ボタン８を受止め案内する横側壁面２２ｂを備えている。そして、中間部材２２とは異なる色に形成された対比用表示体３１が、中間部材２２の先端側部分Ｔにおいて露出する状態で中間部材２２に設けられている。ちなみに、この対比用表示体３１は、中間部材２２と別体として形成され、中間部材２２の先端側部分Ｔに備えられた溝部に嵌合して設けられている。
【００７７】
（中間部材の装着構成）
ボタン装着枠Ｂには、図６、図７、図１０及び図１１に示すように、上方側前壁部分１８におけるボタン挿通口１９の下縁部分に相当する箇所に、中間部材２２の一対の被接続部２２ｓのうちの、下方側被接続部２４が前後動不能及び下方移動不能に係合する接続用凹部３５が設けられ、また、上方側前壁部分１８におけるボタン挿通口１９の上縁部分に相当する箇所に、中間部材２２の一対の被接続部２２ｓのうちの、上方に位置する上方側被接続部２３が後方移動不能に受止められる受部３６が設けられている。
【００７８】
また、受部３６及び接続用凹部３５には、中間部材２２の一対の被接続部２２ｓのコンロ後方側への移動を規制するように受け止める前向受面３５ａ、３６ａが設けられている。具体的には、上方側被接続部２３の上側被接続部後受面２３ａのコンロ後方側への移動を規制するように受け止める上側前向受面３６ａと、下方側被接続部２４の下側被接続部後受面２４ａ（図７参照）のコンロ後方側への移動を規制するように受け止める下側前向受面３５ａ（図６参照）とが備えられている。
【００７９】
さらに、接続用凹部３５には、中間部材２２の下方側被接続部２４を下方側への移動を規制するように受け止める上向受面３５ｂと、下方側被接続部２４を前方側への移動を規制するように受け止める後向受面３５ｃとが備えられている。
つまり、接続用凹部３５は、中間部材２２の下側被接続部後受面２４ａ、被接続部下向面２４ｂ及び被接続部前向面２４ｃがそれぞれ当接する、下側前向受面３５ａ、上向受面３５ｂ及び後向受面３５ｃで構成されている。
【００８０】
そして、一対の被接続部２２ｓを前向受面３５ａ、３６ａに当て付けた状態、すなわち、上側被接続部後受面２３ａ及び下側被接続部後受面２４ａを上側前向受面３６ａ及び下側前向受面３５ａに当接する状態、且つ、下方側被接続部２４の被接続部下向面２４ｂ及び被接続部前向面２４ｃを、それぞれ上向受面３５ｂ及び後向受面３５ｃに当接する状態で、中間部材２２がボタン装着枠Ｂに装着されている。
【００８１】
このように、中間部材２２は、下方側被接続部２４を接続用凹部３５に係合し、かつ、上側被接続部後受面２３ａを上側前向受面３６ａに当て付けて、上方側被接続部２３が受部３６に受止支持された状態で、上方側被接続部２３を、上方側前壁部分１８の受部３６においてボタン装着枠Ｂに対してボルト固定して装着されている。
【００８２】
また、図７、図１０及び図１１に示すように、中間部材２２の後端側部分に、中間部材２２の存在側に突出させる状態で点消火ボタン８に設けた被接当部８ａを、点消火ボタン８が消火位置に位置するときに受止める接当部２２ａが設けられている。そして、この消火位置において、コンロ横幅方向視で、点消火ボタン８の前端側部分８Ｆの形状と中間部材２２の形状とが重なる位置となるように構成されている。
【００８３】
〔別実施形態〕
以下、別実施形態を列記する。
【００８４】
（１）上記実施形態では、カバー体６が、ボタン装着枠Ｂのコンロ前方側に装着される場合を例示したが、カバー体６をボタン装着枠Ｂに装備しない形態で実施してもよい。
【００８５】
（２）上記実施形態では、中間部材２２の下方側被接続部２４をボタン装着枠Ｂの接続用凹部３５に係合させて、上方側被接続部２３をボタン装着枠Ｂの受部３６においてボルト固定して、中間部材２２をボタン装着枠Ｂに装着したが、これに限らず、上方側被接続部２３と下方側被接続部２４との両方を、ボタン装着枠Ｂにボルト固定する状態で、中間部材２２をボタン装着枠Ｂに装着してもよい。
【００８６】
（３）上記実施形態では、中間部材２２の上方側被接続部２３を、受部３６においてボタン装着枠Ｂに対してボルト固定してボタン装着枠Ｂに装着したが、これに限らず、上方側被接続部２３を受部３６に嵌め込み可能に構成して、ボルトを使用せずに上方側被接続部２３を受部３６に固定するように構成してもよい。
【００８７】
（４）上記実施形態では、中間部材２２に対比用表示体３１が装備されたが、これに限らず、対比用表示体３１を中間部材２２に装備しない形態で実施してもよい。
【符号の説明】
【００８８】
６      カバー体
８      点消火ボタン
８ａ    被接当部
８Ｆ    前端側部分
２２    中間部材
２２ａ  接当部
２２ｓ  被接続部
２５    ボタン挿通用開口
３５    接続用凹部
３５ａ  前向受面
３５ｂ  上向受面
３５ｃ  後向受面
３６ａ  前向受面
Ｂ      ボタン装着枠
ＧＣ    ガスコンロ
Ｈ      ガスコンロ本体
Ｑ      軸心
【図１】
2014044030.tif 000003
【図２】
2014044030.tif 000004
【図３】
2014044030.tif 000005
【図４】
2014044030.tif 000006
【図５】
2014044030.tif 000007
【図６】
2014044030.tif 000008
【図７】
2014044030.tif 000009
【図８】
2014044030.tif 000010
【図９】
2014044030.tif 000011
【図１０】
2014044030.tif 000012
【図１１】
2014044030.tif 000013